(57)【要約】【課題】表示素子のずれ量の微調整を容易に行うことができる表示素子の画素ずらし量調整装置及びその方法を提供すること。【解決手段】画素ずらし量調整装置は、調整用信号発生器１と、投射型表示装置１０とを備え、投射型表示装置１０は、光源としてのランプ１１と、反射型液晶素子で構成され多数の画素を格子状に配置し入力信号に応じて画素の輝度を制御して画像を形成する表示素子１３及び１４と、ランプ１１からの光を表示素子１３及び１４に照射するとともに表示素子１３及び１４から反射してきた光を合成してレンズ１５を通して投影面１６に投影する偏光ビームスプリッタ１２とを備え、調整用信号発生器１は、投影面１６に、水平方向の１本の直線と、この直線を挟む２本の直線とを表示させる信号を発生するようになっている。【選択図】図１
2008112175.tif 000002
【特許請求の範囲】
【請求項１】
２つの表示素子の光出力位置を該表示素子の画素の斜め方向の隣接画素との距離の１／２の距離だけ斜め方向にずらして投影面に表示する画面の水平方向及び垂直方向の解像度を２倍にする投射型表示装置と、
前記２つの表示素子の一方の表示素子において水平方向及び垂直方向の少なくとも一方に第１の直線を少なくとも１つ表示させ、かつ前記投影面上において前記第１の直線を挟む複数の第２の直線を他方の表示素子に表示させる調整信号を前記投射型表示装置に入力する調整用信号発生器とを備え、
前記投射型表示装置は、前記２つの表示素子の光出力位置を水平方向及び垂直方向に調整可能に構成され、前記投影面に表示される水平方向及び垂直方向の少なくとも一方の前記第１の直線と前記第２の直線との間隔に応じて前記２つの表示素子の光出力位置のずらし量を調整することを特徴とする表示素子の画素ずらし量調整装置。
【請求項２】
前記調整用信号発生器は、前記２つの表示素子の一方の表示素子において水平方向及び垂直方向の少なくとも一方に第１の直線を予め定められた間隔で前記投影面の画面全体において表示する調整信号を生成し、かつ前記投影面の画面全体において前記第１の直線を挟む複数の第２の直線を他方の表示素子に表示させる調整信号を生成するものであり、
前記投射型表示装置は、前記投影面の画面全体に表示される水平方向及び垂直方向の少なくとも一方の前記第１の直線と前記第２の直線との間隔が等間隔になるよう前記２つの表示素子の光出力位置のずらし量を調整することを特徴とする請求項１に記載の表示素子の画素ずらし量調整装置。
【請求項３】
２つの表示素子の光出力位置を該表示素子の画素の斜め方向の隣接画素との距離の１／２の距離だけ斜め方向にずらして投影面に表示する画面の水平方向及び垂直方向の解像度を２倍にする投射型表示装置における表示素子の画素ずらし量調整方法であって、
前記２つの表示素子の一方において水平方向及び垂直方向の少なくとも一方に第１の直線を少なくとも１つ表示させるステップと、前記投影面上において前記第１の直線を挟む複数の第２の直線を他方の表示素子に表示させるステップと、前記投影面に表示される水平方向及び垂直方向の少なくとも一方の前記第１の直線と前記第２の直線との間隔に応じて前記２つの表示素子の光出力位置のずらし量を調整するステップとを含むことを特徴とする表示素子の画素ずらし量調整方法。
【請求項４】
前記第１の直線は、前記２つの表示素子の一方において水平方向及び垂直方向の少なくとも一方に予め定められた間隔で前記投影面の画面全体において表示されるものであり、前記複数の第２の直線は、前記投影面の画面全体において前記第１の直線を挟むものであることを特徴とする請求項３に記載の表示素子の画素ずらし量調整方法。
【発明の詳細な説明】
【技術分野】
【０００１】
本発明は、投射型表示装置に関し、特に、複数の表示素子をずらして配置し高い解像度を得ようとする投射型表示装置の表示素子の画素ずらし量調整装置及びその方法に関する。
【背景技術】
【０００２】
従来、投射型表示装置において、高い解像度を得ようとする場合、図５に示すように、ランプ１１の光を偏光ビームスプリッタ１２を通して２つの表示素子１３、１４に照射し、その反射光を偏光ビームスプリッタ１２で重ね合わせて、レンズ１５を通して投影面１６に投影するようにし、２つの表示素子１３、１４の光出力位置を斜め方向の隣接画素との距離の１／２の距離だけ斜め方向にずらして配置することにより、水平方向および垂直方向の解像度が２倍になるようにしている。
【発明の開示】
【発明が解決しようとする課題】
【０００３】
この際、表示素子１３、１４のずれ量が斜め方向の隣接画素との距離の１／２の距離になるように調整しなければならないが、２つの表示素子１３、１４は別々に配置され、光出力のみが合成されるので、表示素子の位置だけを見てずれ量を調節するのは困難であった。
【０００４】
そこで、本発明は、表示素子のずれ量の微調整を容易に行うことができる表示素子の画素ずらし量調整装置及びその方法を提供することを目的とする。
【課題を解決するための手段】
【０００５】
本発明の表示素子の画素ずらし量調整装置は、２つの表示素子の光出力位置を該表示素子の画素の斜め方向の隣接画素との距離の１／２の距離だけ斜め方向にずらして投影面に表示する画面の水平方向及び垂直方向の解像度を２倍にする投射型表示装置と、前記２つの表示素子の一方において水平方向及び垂直方向の少なくとも一方に第１の直線を少なくとも１つ表示させ、かつ前記投影面上において前記第１の直線を挟む複数の第２の直線を他方の表示素子に表示させる調整信号を前記投射型表示装置に入力する調整用信号発生器とを備え、前記投射型表示装置は、前記２つの表示素子の光出力位置を水平方向及び垂直方向に調整可能に構成され、前記投影面に表示される水平方向及び垂直方向の少なくとも一方の前記第１の直線と前記第２の直線との間隔に応じて前記２つの表示素子の光出力位置のずらし量を調整する構成を有している。
【０００６】
この構成により、本発明の表示素子の画素ずらし量調整装置は、投影面に表示される水平方向及び垂直方向の少なくとも一方の第１の直線と第２の直線との間隔に応じて２つの表示素子の光出力位置のずらし量を調整できるので、表示素子のずれ量の微調整を容易に行うことができる。
【０００７】
また、本発明の表示素子の画素ずらし量調整装置は、前記調整用信号発生器は、前記２つの表示素子の一方において水平方向及び垂直方向の少なくとも一方に第１の直線を予め定められた間隔で前記投影面の画面全体において表示する調整信号を生成し、かつ前記投影面の画面全体において前記第１の直線を挟む複数の第２の直線を他方の表示素子に表示させる調整信号を生成するものであり、前記投射型表示装置は、前記投影面の画面全体に表示される水平方向及び垂直方向の少なくとも一方の前記第１の直線と前記第２の直線との間隔が等間隔になるよう前記２つの表示素子の光出力位置のずらし量を調整する構成を有している。
【０００８】
この構成により、本発明の表示素子の画素ずらし量調整装置は、投影面の画面全体に渡って２つの表示素子の光出力位置のずらし量を調整できるので、投影面の画面全体に渡って表示素子のずれ量の微調整を容易に行うことができる。
【０００９】
本発明の表示素子の画素ずらし量調整方法は、２つの表示素子の光出力位置を該表示素子の画素の斜め方向の隣接画素との距離の１／２の距離だけ斜め方向にずらして投影面に表示する画面の水平方向及び垂直方向の解像度を２倍にする投射型表示装置における表示素子の画素ずらし量調整方法であって、前記２つの表示素子の一方において水平方向及び垂直方向の少なくとも一方に第１の直線を少なくとも１つ表示させるステップと、前記投影面上において前記第１の直線を挟む複数の第２の直線を他方の表示素子に表示させるステップと、前記投影面に表示される水平方向及び垂直方向の少なくとも一方の前記第１の直線と前記第２の直線との間隔に応じて前記２つの表示素子の光出力位置のずらし量を調整するステップとを含む構成を有している。
【００１０】
この構成により、本発明の表示素子の画素ずらし量調整方法は、投影面に表示される水平方向及び垂直方向の少なくとも一方の第１の直線と第２の直線との間隔に応じて２つの表示素子の光出力位置のずらし量を調整できるので、表示素子のずれ量の微調整を容易に行うことができる。
【００１１】
また、本発明の表示素子の画素ずらし量調整方法は、前記第１の直線は、前記２つの表示素子の一方において水平方向及び垂直方向の少なくとも一方に予め定められた間隔で前記投影面の画面全体において表示されるものであり、前記複数の第２の直線は、前記投影面の画面全体において前記第１の直線を挟むものである構成を有している。
【００１２】
この構成により、本発明の表示素子の画素ずらし量調整方法は、投影面の画面全体に渡って２つの表示素子の光出力位置のずらし量を調整できるので、投影面の画面全体に渡って表示素子のずれ量の微調整を容易に行うことができる。
【発明の効果】
【００１３】
本発明は、表示素子のずれ量の微調整を容易に行うことができるという効果を有する表示素子の画素ずらし量調整装置及びその方法を提供することができるものである。
【発明を実施するための最良の形態】
【００１４】
以下、本発明を図面を参照して説明する。
図１〜図４は本発明の一実施形態の表示素子の画素ずらし量調整装置及び方法を示す図である。
【００１５】
図１において、表示素子の画素ずらし量調整装置は、調整対象となる投射型表示装置１０と、調整用信号発生器１とを備えている。
【００１６】
投射型表示装置１０は、従来例と同様のもので、表示素子１３、１４は反射型液晶素子で、多数の画素を格子状に配置し入力信号に応じて画素の輝度を制御して画像を形成するものである。ランプ１１は光源であり、偏光ビームスプリッタ１２はランプ１１からの光を表示素子１３、１４に照射するとともに表示素子１３、１４から反射してきた光を合成してレンズ１５を通して投影面１６に投影するものである。そして、表示素子１３、１４の光出力位置を水平方向及び垂直方向に自由にずらせるようになっている。
【００１７】
図２に示すように、調整用信号発生器１は、投影面１６に、画素の水平方向１列のラインの上から奇数番目のライン（例えば、２×ｋ＋３番目、ｋは０以上の整数）を１本と、この奇数番目のラインから上下方向に等間隔の２本の上から偶数番目のライン（例えば、２×ｋ番目と２×ｋ＋６番目）を表示させる信号を発生するようになっている。
【００１８】
表示素子１３の投影位置の右下方向に表示素子１４の投影位置をずらせた場合、正確にずれ位置が合っていると表示素子１３の水平方向左からｍ番目、垂直方向上からｎ番目の画素（ｍ、ｎは０以上の整数）は、投影面１６の左上位置を原点（ｘ＝０、ｙ＝０）とし水平右方向にｘ軸、垂直下方向にｙ軸を取った座標上での位置は、
ｘ＝２×ｍ、ｙ＝２×ｎ
に投影される。
【００１９】
また、表示素子１４の水平方向左からｍ番目、垂直方向上からｎ番目の画素は、
ｘ＝２×ｍ＋１、ｙ＝２×ｎ＋１
に投影される。なお、表示素子をどちらの方向に斜めにずらすかによりこの関係は逆転する。
【００２０】
このように、図２において、画素の水平方向１列のライン（直線）の上から奇数番目のライン（ｙ＝２×ｋ＋３）は表示素子１４により投影面１６に表示され、２本の上から偶数番目のライン（ｙ＝２×ｋとｙ＝２×ｋ＋６）は表示素子１３により表示されることになる。
【００２１】
ここで、図２の３本のラインは、表示素子１３、１４同士のずらし量が適切であれば、２本の偶数番目のライン（ｙ＝２×ｋとｙ＝２×ｋ＋６）それぞれと奇数番目のライン（ｙ＝２×ｋ＋３）の間隔は全く同じになるが、表示素子１４が下方向にずれていると図３（ａ）に示すように真中の奇数番目のライン（表示素子１４により表示されるライン）が下方向にずれて表示され、表示素子１４が回転方向にずれていると図３（ｂ）に示すように真中の奇数番目のラインが回転しているようにずれて表示され、ライン間の距離が等距離で無くなることからずれていることが分かる。
【００２２】
よって、上述の３本のライン間の距離がライン全体に渡って等距離になるように表示素子１３、１４同士の位置関係を調整すれば垂直方向画素ずらし量を正確に調整することができる。
【００２３】
また、水平方向の画素ずれ量も同様にして、垂直方向に３本のラインを表示させることにより調整できるので、例えば、図４に示すような格子状のパターンを表示させることにより画面全体に渡り画素ずれ量を調整することができる。
【００２４】
以上のように、投射型表示装置に２つの表示素子の光出力位置のずれ量に応じて相互の間隔が異なって表示される３本の直線を表示し、この直線によりずれ量を調整しているので、表示素子が別々に配置されていても光出力位置のずれ量を容易に調整することができる。
【産業上の利用可能性】
【００２５】
以上のように、本発明に係る表示素子の画素ずらし量調整装置及びその方法は、表示素子のずれ量の微調整を容易に行うことができるという効果を有し、複数の表示素子をずらして配置し高い解像度を得ようとする投射型表示装置の表示素子の画素ずらし量調整装置及びその方法等として有用である。
【図面の簡単な説明】
【００２６】
【図１】本発明に係る表示素子の画素ずらし量調整装置の一実施の形態における構成を示す概略構成図
【図２】本発明に係る表示素子の画素ずらし量調整装置の一実施の形態における直線の表示例を示す図
【図３】本発明に係る表示素子の画素ずらし量調整装置の一実施の形態において、２つの表示素子に位置ずれがある場合の直線の表示例を示す図
【図４】本発明に係る表示素子の画素ずらし量調整装置の一実施の形態における格子パターンの表示例を示す図
【図５】従来の表示素子の画素ずらし量調整装置の構成を示す概略構成図
【符号の説明】
【００２７】
１  調整用信号発生器
１０  投射型表示装置
１１  ランプ
１２  偏光ビームスプリッタ
１３、１４  表示素子
１５  レンズ
１６  投影面
【図１】
2008112175.tif 000003
【図２】
2008112175.tif 000004
【図３】
2008112175.tif 000005
【図４】
2008112175.tif 000006
【図５】
2008112175.tif 000007